(57)【特許請求の範囲】
【請求項１】
下記のカードセットＡと、下記の専用のシートもしくはホワイトボードＢとからなり、上記カードセットＡの各カードの裏面を顧客に順次提示し、顧客が自覚する症状に該当するカードを取り出して、上記シートもしくはホワイトボードＢの該当する枡目に順次列状に並べていくことにより、カードの並び具合として顧客の体質を視覚的に示すことができるようになっていることを特徴とする体質分析ツール。
（Ａ）人の体質に由来して現われる症状が一枚ずつカードに表示されたカードセットであって、カード群が、体質のタイプ別に、「気虚」、「気滞」、「陽虚」、「実熱」、「血虚」、「血お」、「津液虚」、「水毒」の８つの群に分けられており、同一群に属する各カードの表面には、その群のタイプを示す見出しが、各カード共通の配置で表示され、上記各カードの裏面には、その体質に由来する症状がそれぞれ表示されているカードセット。
（Ｂ）「気虚」と「陽虚」と「血虚」と「津液虚」に属するカード列が、４列同方向に並び、「気滞」に属するカード列が、その先頭を上記「気虚」に属するカード列の先頭に突き合わせた状態で反対方向に並び、「実熱」に属するカード列が、その先頭を上記「陽虚」に属するカード列の先頭に突き合わせた状態で反対方向に並び、「血お」に属するカード列が、その先頭を上記「血虚」に属するカード列の先頭に突き合わせた状態で反対方向に並び、「水毒」に属するカード列が、その先頭を上記「津液虚」に属するカード列の先頭に突き合わせた状態で反対方向に並ぶように、各カードを置くことのできる大きさの枡目が列状に形成されているシートもしくはホワイトボード。
【請求項２】
上記カードセットＡと、下記の専用のシートもしくはホワイトボードＣとからなり、上記カードセットＡの各カードの裏面を顧客に順次提示し、顧客が自覚する症状に該当するカードを取り出して、上記シートもしくはホワイトボードＣの該当する枡目に順次列状に並べていくことにより、カードの並び具合として顧客の体質を視覚的に示すことができるようになっていることを特徴とする体質分析ツール。
（Ｃ）縦軸に、「気虚」、「気滞」、「陽虚」、「実熱」、「血虚」、「血お」、「津液虚」、「水毒」の８種類の体質のタイプについての項目欄が並び、横軸に、「消化器系」、「神経系」、「女性保健薬」、「滋養強壮」、「代謝機能促進」、「スキンケア」、「その他」という症状についての７種類の項目欄が並び、各項目欄を延長するラインの交差部に、各カードを置くことのできる大きさの枡目が形成されているシートもしくはホワイトボード。
【請求項３】
上記カード群が、分類されたタイプごとに異なる色で着色されている請求項１または２記載の体質分析ツール。
【請求項４】
制御手段と、入力手段と、記憶手段と、画面表示手段とを備えたコンピュータシステムからなり、上記記憶手段には、人の体質に由来して現われる症状を、体質のタイプ別に、「気虚」、「気滞」、「陽虚」、「実熱」、「血虚」、「血お」、「津液虚」、「水毒」の８つの群に分けて構成した問診情報が予め記憶され、上記画面表示手段において、上記問診情報に基づく設問が、少なくとも二者択一の選択肢からなる回答欄とともに順次表示され、回答者が上記入力手段を介して上記回答欄に順次回答することにより、上記制御手段において予め設定された評価基準に基づき体質のタイプ別に加点，減点等の評価処理が行われ、最終的に、体質のタイプ別得点集計結果が棒グラフとして表示されるようになっており、上記「気虚」と「陽虚」と「血虚」と「津液虚」のタイプ別得点集計結果を示す棒成分が、基準線から同方向に延び、上記「気滞」、「実熱」、「血お」、「水毒」のタイプ別得点集計結果を示す棒成分が、上記基準線から反対方向に延びた状態で表示されるようになっていることを特徴とする体質分析ツール。
【請求項５】
上記体質分析ツールの記憶手段に、体質のタイプ別に加点，減点等の評価が付された漢方薬情報が予め記憶され、上記漢方薬を複数種類処方した場合の効能が、上記漢方薬情報にもとづき、請求項４記載の体質のタイプ別得点集計結果の棒グラフとそれぞれ逆方向に延びる棒グラフとして表示されるようになっており、上記漢方薬処方の効能を示す棒グラフを、画面上で、顧客の得点集計結果を示す棒グラフと重ねることにより、上記顧客の得点集計結果を示す棒グラフの各棒成分の長さが、上記漢方薬処方の効能を示す棒グラフの、反対方向に延びる棒成分の長さ分を相殺した長さになるよう設定されている請求項４記載の体質分析ツール。
【発明の詳細な説明】
【０００１】
【発明の属する技術分野】
本発明は、顧客の体質を分析するための体質分析ツールに関するものである。
【０００２】
【従来の技術】
漢方系の治療では、その人の「体質」と、現われている症状（「証」）が重要であり、漢方医による診察では、問診や身体の診察（舌診、脈診、腹診）によって、患者の「体質」と「証」を充分に確認した上で、その人の状態に最も適した処方を行うようにするのが一般的である。また、漢方薬の販売店においても、来店した顧客の体質と症状を充分に把握するために、きめ細かな問診が行われている。さらに、問診だけでなく、例えば症状分析用のチェックシートを手渡し、自覚症状について該当する項目をチェックさせるようにしているところもある。
【０００３】
【発明が解決しようとする課題】
しかしながら、体質のタイプは複数種類あり、各体質ごとに、体質に応じた症状の現われ方があるため、その有無を全てチェックして体質と症状を的確に把握することは、時間と手間がかかり、容易でない。
【０００４】
そこで、店頭において、顧客に対して簡単に体質分析ができ、漢方薬処方に役立てることのできるツールが望まれている。また、漢方薬処方に限らず、体質を踏まえて何らかのアドバイスを与えたりカウンセリングを行ったりする場合にも、そのようなツールがあれば好都合である。しかし、そのようなものは未だ実用化されていないのが実情である。
【０００５】
本発明は、このような事情に鑑みなされたもので、簡単な手順で体質分析ができ、しかもその結果を、視覚的にわかりやすく示すことのできる、優れた体質分析ツールの提供をその目的とする。
【０００６】
【課題を解決するための手段】
上記の目的を達成するため、本発明は、下記のカードセットＡと、下記の専用のシートもしくはホワイトボードＢとからなり、上記カードセットＡの各カードの裏面を顧客に順次提示し、顧客が自覚する症状に該当するカードを取り出して、上記シートもしくはホワイトボードＢの該当する枡目に順次列状に並べていくことにより、カードの並び具合として顧客の体質を視覚的に示すことができるようになっている体質分析ツールを第１の要旨とする。
（Ａ）人の体質に由来して現われる症状が一枚ずつカードに表示されたカードセットであって、カード群が、体質のタイプ別に、「気虚」、「気滞」、「陽虚」、「実熱」、「血虚」、「血お」、「津液虚」、「水毒」の８つの群に分けられており、同一群に属する各カードの表面には、その群のタイプを示す見出しが、各カード共通の配置で表示され、上記各カードの裏面には、その体質に由来する症状がそれぞれ表示されているカードセット。
（Ｂ）「気虚」と「陽虚」と「血虚」と「津液虚」に属するカード列が、４列同方向に並び、「気滞」に属するカード列が、その先頭を上記「気虚」に属するカード列の先頭に突き合わせた状態で反対方向に並び、「実熱」に属するカード列が、その先頭を上記「陽虚」に属するカード列の先頭に突き合わせた状態で反対方向に並び、「血お」に属するカード列が、その先頭を上記「血虚」に属するカード列の先頭に突き合わせた状態で反対方向に並び、「水毒」に属するカード列が、その先頭を上記「津液虚」に属するカード列の先頭に突き合わせた状態で反対方向に並ぶように、各カードを置くことのできる大きさの枡目が列状に形成されているシートもしくはホワイトボード。
【０００７】
また、本発明は、上記カードセットＡと、下記の専用のシートもしくはホワイトボードＣとからなり、上記カードセットＡの各カードの裏面を顧客に順次提示し、顧客が自覚する症状に該当するカードを取り出して、上記シートもしくはホワイトボードＣの該当する枡目に順次列状に並べていくことにより、カードの並び具合として顧客の体質を視覚的に示すことができるようになっている体質分析ツールを第２の要旨とする。
（Ｃ）縦軸に、「気虚」、「気滞」、「陽虚」、「実熱」、「血虚」、「血お」、「津液虚」、「水毒」の８種類の体質のタイプについての項目欄が並び、横軸に、「消化器系」、「神経系」、「女性保健薬」、「滋養強壮」、「代謝機能促進」、「スキンケア」、「その他」という症状についての７種類の項目欄が並び、各項目欄を延長するラインの交差部に、各カードを置くことのできる大きさの枡目が形成されているシートもしくはホワイトボード。
【０００８】
そして、本発明は、それらのなかでも、特に、上記カード群が、分類されたタイプごとに異なる色で着色されている体質分析ツールを第３の要旨とする。
【０００９】
さらに、本発明は、制御手段と、入力手段と、記憶手段と、画面表示手段とを備えたコンピュータシステムからなり、上記記憶手段には、人の体質に由来して現われる症状を、体質のタイプ別に、「気虚」、「気滞」、「陽虚」、「実熱」、「血虚」、「血お」、「津液虚」、「水毒」の８つの群に分けて構成した問診情報が予め記憶され、上記画面表示手段において、上記問診情報に基づく設問が、少なくとも二者択一の選択肢からなる回答欄とともに順次表示され、回答者が上記入力手段を介して上記回答欄に順次回答することにより、上記制御手段において予め設定された評価基準に基づき体質のタイプ別に加点，減点等の評価処理が行われ、最終的に、体質のタイプ別得点集計結果が棒グラフとして表示されるようになっており、上記「気虚」と「陽虚」と「血虚」と「津液虚」のタイプ別得点集計結果を示す棒成分が、基準線から同方向に延び、上記「気滞」、「実熱」、「血お」、「水毒」のタイプ別得点集計結果を示す棒成分が、上記基準線から反対方向に延びた状態で表示されるようになっている体質分析ツールを第４の要旨とする。
【００１０】
そして、上記コンピュータシステムからなる体質分析ツールのなかでも、特に、上記体質分析ツールの記憶手段に、体質のタイプ別に加点，減点等の評価が付された漢方薬情報が予め記憶され、上記漢方薬を複数種類処方した場合の効能が、上記漢方薬情報にもとづき、上記の体質のタイプ別得点集計結果の棒グラフとそれぞれ逆方向に延びる棒グラフとして表示されるようになっており、上記漢方薬処方の効能を示す棒グラフを、画面上で、顧客の得点集計結果を示す棒グラフと重ねることにより、上記顧客の得点集計結果を示す棒グラフの各棒成分の長さが、上記漢方薬処方の効能を示す棒グラフの、反対方向に延びる棒成分の長さ分を相殺した長さになるよう設定されているものを第５の要旨とする。
【００１１】
【発明の実施の形態】
つぎに、本発明の一実施の形態について説明する。ただし、この例は、本発明を、漢方薬販売店において、店員が顧客の体質を分析した上で、顧客に最適な漢方薬処方を推奨する等のカウンセリングを行う場合に適用したものである。
【００１２】
まず、この例では、顧客の体質を分析するために、図１に示す、８種類のカード群Ａ〜Ｈが用いられる。上記カード群Ａ〜Ｈは、体質の典型的な８種類のタイプである、「気虚」、「気滞」、「陽虚」、「実熱」、「血虚」、「血お」、「津液虚」、「水毒」のそれぞれに、１群ずつ対応するようになっており、各群とも７枚のカード（いずれも縦５ｃｍ×横５ｃｍの正方形の厚紙シートからなる）で構成されている。そして、カード表面には、対応するタイプを示す見出し１〜８が表示されており、その下に、そのタイプの特徴を簡単に示す説明文９〜１６が付記されている。
【００１３】
なお、上記８種類のタイプは、体のバランスが偏った状態をパターン化して分類したものであり、図２に示すように、「気虚」がエネルギーが足りない状態（Ｅ−）を示すのに対し、「気滞」はエネルギーが溜っている状態（Ｅ＋）を示し、互いに相反する関係にある。また、「陽虚」が熱が足りない状態（Ｈ−）を示すのに対し、「実熱」は熱が多すぎる状態（Ｈ＋）を示し、「血虚」が栄養が足りない状態（Ｎ−）を示すのに対し、「血お」は栄養が滞っている状態（Ｎ＋）を示し、「津液虚」が水が足りない状態（Ｌ−）を示すのに対し、「水毒」は水が滞っている状態（Ｌ＋）を示し、これらは互いに相反する関係にある。
【００１４】
つぎに、各カードをより詳しく説明する。まず、カード群Ａ（図１に戻る）において、各カードの表面には、「気虚  ききょ」の見出し１と、「気（元気）が足りない」という説明文９が、濃い緑色で表示されている。また、カード表面の地色は、薄い黄緑色に着色されている。
【００１５】
一方、上記カード群Ａのカード裏面には、図３（ａ），（ｂ）に示すように、その中央に、「疲れやすく元気がない」、「動悸や息切れがする」といった、「気虚」の体質に由来して現われる症状が、カード１枚に一つずつ、簡単な文２０，２１で表示されている。そして、上記文２０，２１は濃い緑色で着色され、カード裏面の周縁部２２は、カード表面の地色と同じ薄い黄緑色で着色されている。
【００１６】
つぎに、カード群Ｂ（図１に戻る）において、各カードの表面には、「気滞  きたい」の見出し２と、「気が滞っている」という説明文１０が、薄い黄緑色で表示されている。また、カード表面の地色は、濃い緑色で着色されている。この配色は、カード群Ａのカード表面と反対の配色であり、両者の体質が相反するタイプであることが、色で象徴的に表されている。
【００１７】
一方、上記カード群Ｂのカード裏面には、図４（ａ），（ｂ）に示すように、その中央に、「イライラしやすい」、「口が苦い」といった、「気滞」の体質に由来して現われる症状が、カード１枚に一つずつ、簡単な文２３，２４で表示されている。そして、上記文２３，２４と、カード裏面の周縁部２５は、カード表面の地色と同じ濃い緑色で着色されている。
【００１８】
つぎに、カード群Ｃ（図１に戻る）において、各カードの表面には、「陽虚  ようきょ」の見出し３と、「熱が足りない」という説明文１１が、オレンジ色で表示されている。また、カード表面の地色は、薄い水色で着色されている。
【００１９】
一方、上記カード群Ｃのカード裏面には、図５（ａ），（ｂ）に示すように、その中央に、「温かい食べ物や飲み物を好む」、「ふだんから疲れやすく動悸や息切れがする」といった、「陽虚」の体質に由来して現われる症状が、カード１枚に一つずつ、簡単な文２６，２７で表示されている。そして、上記文２６，２７はオレンジ色で着色され、カード裏面の周縁部２８は、カード表面の地色と同じ薄い水色で着色されている。
【００２０】
つぎに、カード群Ｄ（図１に戻る）において、各カードの表面には、「実熱  じつねつ」の見出し４と、「熱が多すぎる」という説明文１２が、薄い水色で表示されている。また、カード表面の地色は、オレンジ色に着色されている。この配色は、カード群Ｃと反対の配色であり、両者の体質が相反するタイプであることが、色で象徴的に表されている。
【００２１】
一方、上記カード群Ｄのカード裏面には、図６（ａ），（ｂ）に示すように、その中央に、「のどが渇きやすい」、「顔が紅潮しやすい」といった、「実熱」の体質に由来して現われる症状が、カード１枚に一つずつ、簡単な文２９，３０で表示されている。そして、上記文２９，３０と、カード裏面の周縁部３１は、カード表面の地色と同じオレンジ色で着色されている。
【００２２】
つぎに、カード群Ｅ（図１に戻る）において、各カードの表面には、「血虚  けっきょ」の見出し５と、「栄養が足りない  栄養を行き渡らせるための機能が落ちている」という説明文１３が、赤紫色で表示されている。また、カード表面の地色は、薄い藤色で着色されている。
【００２３】
一方、上記カード群Ｅのカード裏面には、図７（ａ），（ｂ）に示すように、その中央に、「皮膚や毛髪につやがなく、荒れやすい」、「顔色や爪の色が白っぽくつやがない」といった、「血虚」の体質に由来して現われる症状が、カード１枚に一つずつ、簡単な文３２，３３で表示されている。そして、上記文３２，３３は赤紫色で着色され、カード裏面の周縁部３４は、カード表面の地色と同じ薄い藤色で着色されている。
【００２４】
つぎに、カード群Ｆ（図１に戻る）において、各カードの表面には、「血お  けつお」の見出し６と、「血が滞っている」という説明文１４が、薄い藤色で表示されている。また、カード表面の地色は、赤紫色に着色されている。この配色は、カード群Ｅと反対の配色であり、両者の体質が相反するタイプであることが、色で象徴的に表されている。
【００２５】
一方、上記カード群Ｆのカード裏面には、図８（ａ），（ｂ）に示すように、その中央に、「顔色や目の周囲がどす黒い」、「月経痛や周期の乱れなど月経にトラブルがある」といった、「血お」の体質に由来して現われる症状が、カード１枚に一つずつ、簡単な文３５，３６で表示されている。そして、上記文３５，３６と、カード裏面の周縁部３７は、カード表面の地色と同じ赤紫色で着色されている。
【００２６】
つぎに、カード群Ｇ（図１に戻る）において、各カードの表面には、「津液虚  しんえききょ」の見出し７と、「身体にとって必要な水分が足りない」という説明文１５が、青色で表示されている。また、カード表面の地色は、薄い肌色で着色されている。
【００２７】
一方、上記カード群Ｇのカード裏面には、図９（ａ），（ｂ）に示すように、その中央に、「痩せ型で、食べても太りにくい」、「顔がのぼせて紅潮しやすい」といった、「津液虚」の体質に由来して現われる症状が、カード１枚に一つずつ、簡単な文３８，３９で表示されている。そして、上記文３８，３９は青色で着色され、カード裏面の周縁部４０は、カード表面の地色と同じ薄い肌色で着色されている。
【００２８】
つぎに、カード群Ｈ（図１に戻る）において、各カードの表面には、「水毒  すいどく」の見出し８と、「水が滞っている」という説明文１６が、薄い肌色で表示されている。また、カード表面の地色は、青色に着色されている。この配色は、カード群Ｇと反対の配色であり、両者の体質が相反するタイプであることが、色で象徴的に表されている。
【００２９】
一方、上記カード群Ｈのカード裏面には、図１０（ａ），（ｂ）に示すように、その中央に、「手足や顔がむくみやすい」、「体が重く、だるい」といった、「水毒」の体質に由来して現われる症状が、カード１枚に一つずつ、簡単な文４１，４２で表示されている。そして、上記文４１，４２と、カード裏面の周縁部４３は、カード表面の地色と同じ青色で着色されている。
【００３０】
上記カード群Ａ〜Ｈを用い、例えばつぎのようにして、顧客の体質を分析することができる。すなわち、カード群Ａ〜Ｈを、Ａ群から順に、一枚ずつカード裏面を顧客に提示して、顧客が自覚する症状に該当すれば、これを取り出して、専用のシートの上に、順次並べていく。並べ方は、図１１（ａ）に示すように、まず、「気虚」を示すＡ群のカードの中から、該当する症状のものを取り出して、矢印のように、図面上、下から上に向かって列状に並べる。つぎに、「気滞」を示すＢ群のカードの中から、該当する症状のものを取り出して、今度は、その先頭を、上記Ａ群のカード列の先頭に突き合わせて、矢印のように、図面上、上から下に向かって列状に並べる。そして、Ｃ群以下のカードについても、図示の矢印に従って順次並べていく。なお、上記専用のシートには、予めカードを置くべき位置が列状に示されている。
【００３１】
このようにして、例えば図１１（ｂ）に示すように、顧客が自覚する症状のカードとして、「気虚」を示すＡ群のカード列Ａ1 ，Ａ2 ，…と、「陽虚」を示すＣ群のカード列Ｃ1 ，Ｃ2 ，…と、「血虚」を示すＥ群のカード列Ｅ1 ，Ｅ2 ，…と、「津液虚」を示すＧ群のカード列Ｇ1 ，Ｇ2 ，…を４列同方向に並べ、「気滞」を示すＢ群のカード列Ｂ1 ，Ｂ2 ，…と、「実熱」を示すＤ群のカード列Ｄ1 ，Ｄ2 ，…と、「血お」を示すＦ群のカード列Ｆ1 ，Ｆ2 ，…と、「水毒」を示すＨ群のカード列Ｈ1 ，Ｈ2 ，…を、それぞれ互いに相反するタイプの体質のカード列と突き合わせて並べることができる。
【００３２】
そして、得られたカード列の並び具合によって、その顧客の体質の特徴、問題点等を把握することができる。特に、突き合わせて並べられた上向きの列と下向きの列の長さを比較することにより、体のバランスが、「気」等の要素が足りない方に偏っているか、多い方に偏っているかが、一目でわかるため、これを直すための適切なアドバイスを行うことができる。そして、全体的なバランスを考慮して、漢方薬を処方することができる。
【００３３】
なお、上記カード列を、各カードの症状が、どの部位に関わる症状かによって、さらに並べ替えることができる。例えば、図１２に示すように、縦軸に、「気虚」等、体質のタイプについての８種類の項目欄５１が並び、横軸に、「消化器系」、「神経系」、「女性保健薬」、「滋養強壮」、「代謝機能促進」、「スキンケア」、「その他」という症状についての７種類の項目欄（どの部位に関わる症状か、あるいはどのような薬が必要な症状か、といった項目を示した欄）５２が並び、各項目欄５１，５２を延長するラインの交差部に、上記カード群Ａ〜Ｈのカードをちょうど置くことのできる大きさの枡目Ｐが形成されたシート５０を用意しておき、図１１（ｂ）に示すように並んだカード列を、つぎのようにして並べ替えることができる。
【００３４】
すなわち、まず、上記カード列のうち、「気虚」に属するカードＡ1 〜Ａ3 を、それぞれの裏面に表示された症状から、横軸のどの項目に関する症状であるかを区別して、該当する項目と「気虚」のタイプとが交差する枡目Ｐの上に順次置いていく。つぎに、「陽虚」に属するカードＣ1 〜Ｃ5 を、それぞれの裏面に表示された症状から、横軸のどの項目に関する症状であるかを区別して、該当する項目と「陽虚」のタイプとが交差する枡目Ｐの上に順次置いていく。これを、「血虚」に属するカードＥ1 〜Ｅ4 、「津液虚」に属するカードＧ1 〜Ｇ5 、「気滞」に属するカードＢ1 〜Ｂ3 、「実熱」に属するカードＤ1 〜Ｄ4 、「血お」に属するカードＦ1 〜Ｆ5 、「水毒」に属するカードＨ1 〜Ｈ4 のそれぞれについても行い、最終的に、図１２に示すようなカード列を得ることができる。
【００３５】
このように並べ替えると、図１１（ｂ）の並べ方に比べて、どの部位等に関する症状が現われているかが、よりわかりやすく、顧客の体の様子を把握しやすいため、迅速に的確なアドバイスを与えることができる。
【００３６】
なお、この場合、上記シート５０に表示される、体質のタイプに関する項目欄５１の各項目部分を、カードの表面に施した色分けと同様の色分けで着色しておき、症状に関する項目欄５２の各項目部分を、項目欄５１の色分けとは異なる色の色分けで着色しておくと、より見やすく好適である。そして、上記色分けに応じた着色表示がなされた漢方薬を用意しておけば、体質と症状に適した漢方薬を、その表示された色を目印として、迅速に選択して処方することができ、さらに好都合である。例えば、「気虚」のカードおよびその項目部分が薄い黄緑色で着色されており、症状の１つである「消化器系」の項目部分が青緑色で着色されているとすると、この症状に有効な漢方薬のパッケージに、直接印刷で、もしくはシールを貼付する等して、薄い黄緑色と青緑色の２色を示す表示部を設けるようにしておけば、該当する症状をもつ顧客に対し、これを即座に選択して処方することができる。
【００３７】
なお、本発明の体質分析ツールにおいて、カード群の種類は、上記の例のように、「気虚」、「気滞」、「陽虚」、「実熱」、「血虚」、「血お」、「津液虚」、「水毒」の８種類を用意しておくことが必要で、これにより、充分な体質分析を行うことができる。
【００３８】
また、各カード群の枚数は、上記の例に限らず、症状の種類に応じて適宜の枚数に設定される。症状の種類を多くピックアップすればするほど、きめの細かい分析を行うことができ好適であるが、カードの枚数が多すぎると、並べる作業に時間がかかり、効率的でない。そこで、通常は、各群ごとに５〜１０枚程度を用意することが好ましい。
【００３９】
また、専用のシートに代えてホワイトボード等を利用し、カードをマグネットシートで作製しておけば、カードを並べる作業や、並んだカード列について顧客に説明する作業等が行いやすく、好適である。
【００４０】
さらに、カードの形状、色、レイアウト等も、上記の例に限らず、適宜に設定することができる。そして、その並べ方も、どの群から並べるとか、どの症状のカードから並べるとかの決まりはなく、手にしたものから順に並べていけば足りる。
【００４１】
また、上記の例は、体質分析ツールとして、カード群と専用のシートとからなるものを用い、体質分析結果を、カードの並び具合として、わかりやすく視覚化できるようにしているが、同様の内容を、コンピュータ画面に表示して視覚化するようにしたコンピュータシステムからなる体質分析ツールを用いるようにしても差し支えない。
【００４２】
上記コンピュータシステムからなる体質分析ツールとしては、例えば、図１３に示すように、制御手段６０と、記憶手段６１と、入力手段６２と、画面表示手段６３とを備えたものを用いることができる。
【００４３】
上記制御手段６０は、記憶手段６１に記憶された情報の呼び出し、編集、演算処理等の各種処理を行うとともに、所定の情報を、画面表示手段６３によって表示させる機能を備えている。
【００４４】
また、上記記憶手段６１は、コンピュータ本体に直接記憶させるハードディスクであっても、フロッピー（Ｒ）ディスクやＣＤ−ＲＯＭ等の外部記憶手段であってもよいが、そこに、前記の例においてカード群に表示された内容と同様の問診情報が、予め記憶されるようになっている。また、問診情報に先立って顧客に提示するために、体質分析の手法や考え方の説明等の情報（例えば図２に示す、体質のタイプの分類説明）が予め記憶されるようになっている。
【００４５】
さらに、上記画面表示手段６３は、上記制御手段６０からの指示を受けて、記憶手段６１に記憶された説明情報や問診情報を、所定の形で表示するようになっている。
【００４６】
上記画面表示手段６３に表示される問診情報は、前記の例と同様、体質の典型的な８種類のタイプである、「気虚」、「気滞」、「陽虚」、「実熱」、「血虚」、「血お」、「津液虚」、「水毒」に分けて構成されており、各タイプごとに、前記の例において各カード裏面に表示された、そのタイプの体質に由来して現われる症状が、「はい」、「いいえ」の二者選択で回答させるための設問として表示されるようになっている。
【００４７】
ちなみに、「気虚」のタイプに関する問診画面を図１４に示す。この画面では、左上に、「気虚（ききょ)」の見出し６４が設けられており、その下に、「・疲れやすく元気がない」、「・動悸や息切れがする」といった、「気虚」の体質に由来して現われる７つの症例が、設問６５として列挙されている。また、設問６５の右側には、「はい」、「いいえ」のいずれかをクリックして回答する回答欄６６が設けられている。
【００４８】
以下、同様に、「気滞」のタイプに関する問診画面、「陽虚」のタイプに関する問診画面、「実熱」のタイプに関する問診画面、「血虚」のタイプに関する問診画面、「血お」のタイプに関する問診画面、「津液虚」のタイプに関する問診画面、「水毒」のタイプに関する問診画面が、順次表示されるようになっている。
【００４９】
そして、各問診画面において「はい」と回答するごとに、前記制御手段６０によって、その設問の内容に応じて１〜５点のいずれかの特点が加点され、各体質のタイプ別に、得点集計が行われるようになっている。なお、「いいえ」と回答した場合の得点はゼロである。
【００５０】
例えば、「気虚」のタイプにおいて、「疲れやすく元気がない」の設問に「はい」と回答すると３点の得点になり、「動悸や息切れがする」の設問に「はい」と回答すると５点の得点になる。このようにして、各体質のタイプ別に、得点集計が行われ、その結果は、図１５に示すような画面において、棒グラフ７０として表示されるようになっている。
【００５１】
上記画面の左上には、「あなたの体質は…」という見出し７１が表示されており、その右側に、棒グラフ７０として表示されるパターンの体質の特徴を説明する説明文７２が表示されている。そして、上記棒グラフ７０は、横軸７３に、各体質のタイプ（「気虚」、「気滞」、…）を並べ、各タイプごとに、得点を累積して得られた得点集計結果に応じた長さの棒成分７０ａを表示することにより構成されている。
【００５２】
なお、すでに述べたように、「気虚」、「陽虚」、「血虚」、「津液虚」は、それぞれ気、熱、栄養、水が足りない状態を示すことから、その得点集計結果は−（マイナス）として、下向きに延びる棒成分７０ａ′として示されている。逆に、「気滞」、「実熱」、「血お」、「水毒」は、それらが多すぎるか滞っている状態を示すことから、その得点集計結果は＋（プラス）として、上向きに延びる棒成分７０ａ″として示されている。
【００５３】
したがって、この例では、コンピュータ画面に表示された上記棒グラフ７０のパターンによって、その顧客の体質の特徴、問題点を把握することができる。特に、上向きの棒成分７０ａ″と下向きの棒成分７０ａ′の長さを比較することにより、前記の例（カード群を用いた例）と同様、体のバランスが、「気」等の要素が足りない方に偏っているか、多い方に偏っているかが、一目でわかるため、これを直すための適切なアドバイスを行うことができる。そして、全体的なバランスを考慮して、漢方薬を処方することができる。
【００５４】
なお、上記コンピュータシステムを用いた例において、記憶手段６１（図１３参照）に、予め漢方薬の種類と特性を記憶させておき、その処方によって、どのような効果が得られるかについて、上記棒グラフ７０と同様のパターンの棒グラフで表示できるようにしておくと、その効果が一目でわかり、好適である。
【００５５】
すなわち、例えば漢方薬の効能を、その効能の程度に応じて、１〜５のいずれかの得点を与えておき、複数種類の漢方薬を処方することにより、「気虚」等の各タイプに対する効能の得点集計結果が、図１６に示すような棒グラフ８０として表示されるよう設定する。この棒グラフ８０では、「気虚」や「陽虚」等の、「マイナス」のタイプに効能を有する場合の得点を「プラス」とし、その得点集計結果を、上向きに延びる棒成分８０ａ″として示し、「気滞」や「実熱」等の、「プラス」のタイプに効能を有する場合の得点を「マイナス」とし、その得点集計結果を、下向きに延びる棒成分８０ａ′として示している。
【００５６】
なお、この棒グラフ８０を表示する画面には、「あなたの体質にあった漢方薬の処方は…」という見出し８１と、どのような種類の漢方薬を組み合わせた処方であるかを説明する説明文８２とを、併せて表示することが好ましい。
【００５７】
そして、上記漢方薬処方の効能を示す棒グラフ８０の棒成分８０ａと、前記体質を示す棒グラフ７０（図１５参照）の棒成分７０ａとを重ねることにより、図１７に示すように、互いの棒成分８０ａと７０ａが相殺し合って、改善された体質に変化したことを示す棒グラフ９０を得ることができる。例えば、「気虚」であれば、体質が「−７」であったところ、漢方薬処方の効能が「＋５」であることから、体質が「−２」に改善される。他の体質のタイプについても、同様にして、棒成分９０ａの長さが短くなり、体質が改善されたことが一目でわかるようになっている。
【００５８】
なお、組み合わせる漢方薬の種類を変えることにより、得点集計結果が異なる、パターンの異なる棒グラフ８０を順次表示させることができる。そして、それらについても、同様に、前記体質の棒グラフ７０に重ねることにより、棒グラフ９０において、体質を示す棒成分９０ａが、元の棒成分７０ａに比べてどの程度短くなったか（＝体質が改善されたか）を、即座に見ることができる。これを、漢方薬の種類を変えて、何通りか行い、最も改善の程度が顕著な（すなわち棒成分９０ａが短くなった）漢方薬処方を、最善の処方として、顧客に購入を推奨することできる。
【００５９】
そして、この棒グラフ９０を表示する画面には、「上記漢方薬の処方によれば…」という見出し９１と、どのように体質が改善されるかを簡単に説明する説明文９２とを、併せて表示することが好ましい。
【００６０】
このように、漢方薬処方による体質改善効果が、視覚的にわかりやすく表示されるため、顧客は、その漢方薬処方が、自分の体質を改善するのに適したものであることを、即座に理解することができ、納得してその漢方薬処方を購入することができる。
【００６１】
なお、上記一連のコンピュータシステムからなる体質分析ツールにおいて、体質分析のための問診の内容と回答に応じた得点のつけ方、あるいは漢方薬の種類と漢方薬の効能に応じた得点のつけ方等は、上記の例に限らず、適宜に設定することができる。
【００６２】
また、問診や棒グラフ７０，８０，９０を画面表示する場合、前記カード群からなる体質分析ツールの場合と同様、「気虚」，「気滞」等の体質のタイプ別に、設問の表示や棒成分７０ａ等を色分けしておくと、より見やすく好適である。
【００６３】
さらに、棒グラフ７０は、例えば図１８に示すように、「マイナス」の棒成分７０′同士、「プラス」の棒成分７０″同士が並ぶような配列にしてもよい。また、これらを左右に並べず、図１９に示すように、上下に突き合わせた配列にしても差し支えない。棒グラフ８０，９０についても、棒グラフ７０の形態に合わせて、適宜の形態にすることができる。
【００６４】
そして、これらの例は全て、本発明を、漢方薬販売店において漢方薬処方のために顧客の体質分析を行うことに適用したものであるが、これ以外にも、各種の体質分析に適用することができる。例えば、学校や会社、その他の公共機関等におけるカウンセリングの一環として、来訪者の体質を分析し、生活改善等のアドバイスを行ったり適切な治療を受けさせたりする場合や、乳幼児の検診や発育相談等において、その体質や発育傾向を把握してアドバイスを行う場合等に適用することができる。これらの場合、体質の分類は、前記のとおり８種類であるが、目的に応じて症状の表示内容等を適宜に設定することができる。
【００６５】
【発明の効果】
以上のように、本発明の、カード群および専用のシートもしくはホワイトボードとからなる体質分析ツールによれば、ツールを構成するカード群の各カードに、予め分類した体質のタイプとその体質に由来して現われる症状とが表示されているため、該当する症状のカードを、体質別に列状に並べることにより、その人の体質の特徴、問題点等を視覚的に表すことができる。
【００６６】
また、本発明の、コンピュータシステムからなる体質分析ツールによれば、ツールを構成する画面上で問診を行い、その結果を、体質別の特徴が一目でわかる形で表示することができるため、上記カード群を用いた場合と同様、その人の体質の特徴、問題点等を視覚的に表すことができる。
【図面の簡単な説明】
【図１】  本発明の体質分析ツールの一実施例におけるカード群を示す説明図である。
【図２】  上記実施例における体質の考え方の説明図である。
【図３】  （ａ），（ｂ）はともに上記実施例のカードの説明図である。
【図４】  （ａ），（ｂ）はともに上記実施例のカードの説明図である。
【図５】  （ａ），（ｂ）はともに上記実施例のカードの説明図である。
【図６】  （ａ），（ｂ）はともに上記実施例のカードの説明図である。
【図７】  （ａ），（ｂ）はともに上記実施例のカードの説明図である。
【図８】  （ａ），（ｂ）はともに上記実施例のカードの説明図である。
【図９】  （ａ），（ｂ）はともに上記実施例のカードの説明図である。
【図１０】  （ａ），（ｂ）はともに上記実施例のカードの説明図である。
【図１１】  （ａ）は上記実施例のカードの並べ方の説明図、（ｂ）は並べられたカード列の説明図である。
【図１２】  上記カード列を、さらに症状別に並べ替えたカード列の説明図である。
【図１３】  本発明の体質分析ツールの他の実施例の構成を示す説明図である。
【図１４】  上記実施例における表示画面を示す説明図である。
【図１５】  上記実施例における表示画面を示す説明図である。
【図１６】  上記実施例における表示画面を示す説明図である。
【図１７】  上記実施例における表示画面を示す説明図である。
【図１８】  上記実施例において表示される棒グラフの変形例を示す説明図である。
【図１９】  上記棒グラフの他の変形例を示す説明図である。
【符号の説明】
Ａ〜Ｈ  カード群
【図１】
0003661937.tif 000002
【図２】
0003661937.tif 000003
【図３】
0003661937.tif 000004
【図４】
0003661937.tif 000005
【図５】
0003661937.tif 000006
【図６】
0003661937.tif 000007
【図７】
0003661937.tif 000008
【図８】
0003661937.tif 000009
【図９】
0003661937.tif 000010
【図１０】
0003661937.tif 000011
【図１１】
0003661937.tif 000012
【図１２】
0003661937.tif 000013
【図１３】
0003661937.tif 000014
【図１４】
0003661937.tif 000015
【図１５】
0003661937.tif 000016
【図１６】
0003661937.tif 000017
【図１７】
0003661937.tif 000018
【図１８】
0003661937.tif 000019
【図１９】
0003661937.tif 000020